(57)【特許請求の範囲】
【請求項１】
伝送信号のＯＮ／ＯＦＦまたは上記伝送信号の経路を切り替える複数のスイッチ回路と；
入力制御電圧を供給する１本の制御線と；
上記制御線から入力した上記入力制御電圧が所定の値であるか否かを判断し、上記入力制御電圧が所定の値である場合に、上記スイッチ回路を切り替える切替制御信号を、上記複数のスイッチ回路のうちで対応するスイッチ回路に出力する制御回路と；
を有し、
上記入力制御電圧をＶinとし、上記入力制御電圧Ｖinの最小値をＶminとし、上記入力制御電圧Ｖinの最大値をＶmaxとし、上記最小値Ｖminから上記最大値ＶmaxまでをＮ分割した場合における第ｉの分割点の電圧を基準電圧Ｖiとし（ｉは１からＮまでの整数）、Ｖ0＝Ｖminとし、ＶN＝Ｖmaxとし、
上記制御回路のうちの第ｉの制御回路は、上記入力制御電圧Ｖinが、Ｖi-1＜Ｖin＜Ｖiである場合に、第ｉのスイッチ回路をＯＮまたは経路を切り替えるように設定する制御信号を出力し、Ｖin＜Ｖi-1またはＶi＜Ｖinである場合に、第ｉのスイッチ回路をＯＦＦまたは経路を切り替えないように設定する制御信号を出力する回路であることを特徴とするスイッチ装置。
【請求項２】
請求項１において、
上記制御回路のうちの第ｉの制御回路は、
上記入力制御電圧Ｖinを上記基準電圧Ｖi-1と比較し、Ｖin＜Ｖi-1である場合に、第ｉのスイッチ回路をＯＦＦまたは経路を切り替えないように設定する出力信号を出力し、Ｖi-1＜Ｖinである場合に、第ｉのスイッチ回路をＯＮまたは経路を切り替えるように設定する出力信号を出力する第ｉ１の比較器と；
上記入力制御電圧Ｖinを上記基準電圧Ｖiと比較し、Ｖin＜Ｖiである場合に、第ｉのスイッチ回路をＯＮまたは経路を切り替えるように設定する出力信号を出力し、Ｖi＜Ｖinである場合に、第ｉのスイッチ回路をＯＦＦまたは経路を切り替えないように設定する出力信号を出力する第ｉ２の比較器と；
上記第ｉ１の比較器の出力信号と上記第ｉ２の比較器の出力信号との論理積を演算し、この演算された論理積に応じてＶi-1＜Ｖiである場合に、第ｉのスイッチ回路をＯＮまたは経路を切り替えるように設定し、Ｖin＜Ｖi-1またはＶi＜Ｖinである場合に、第ｉのスイッチ回路をＯＦＦまたは経路を切り替えないように設定する切替制御信号を、対応する第ｉのスイッチ回路に出力する第ｉの論理回路と；
を有する回路であることを特徴とするスイッチ装置。
【請求項３】
伝送信号のＯＮ／ＯＦＦまたは上記伝送信号の経路を切り替える複数のスイッチ回路と；
入力制御電圧を供給する１本の制御線と；
上記制御線から入力した上記入力制御電圧が所定の値であるか否かを判断し、上記入力制御電圧が所定の値である場合に、上記スイッチ回路を切り替える切替制御信号を、上記複数のスイッチ回路のうちで対応するスイッチ回路に出力する制御回路と；
を有し、
上記制御回路のうちの第ｉの制御回路は、
上記入力制御電圧Ｖinを上記基準電圧Ｖi-1と比較し、Ｖin＜Ｖi-1である場合に、第ｉ１のスイッチ回路をＯＦＦまたは経路を切り替えないように設定し、Ｖi-1＜Ｖinである場合に、第ｉ１のスイッチ回路をＯＮまたは経路を切り替えるように設定する切替制御信号を出力する第ｉ１の比較器と；
上記入力制御電圧Ｖinを上記基準電圧Ｖiと比較し、Ｖin＜Ｖiである場合に、第ｉ２のスイッチ回路をＯＮまたは経路を切り替えるように設定し、Ｖi＜Ｖinである場合に、第ｉ２のスイッチ回路をＯＦＦまたは経路を切り替えないように設定する切替制御信号を出力する第ｉ２の比較器と；
を有し、
上記スイッチ回路のうちの第ｉのスイッチ回路は、
上記第ｉ１の比較器が出力する切替制御信号に応じて、上記伝送信号のＯＮ／ＯＦＦまたは上記伝送信号の経路を切り替える上記第ｉ１のスイッチ回路と；
上記第ｉ２の比較器が出力する切替制御信号に応じて、上記伝送信号のＯＮ／ＯＦＦまたは上記伝送信号の経路を切り替え、上記第ｉ１のスイッチ回路と縦列接続されている上記第ｉ２のスイッチ回路と；
を有する回路であることを特徴とするスイッチ装置。
【請求項４】
伝送信号のＯＮ／ＯＦＦまたは上記伝送信号の経路を切り替える複数のスイッチ回路と；
入力制御電圧を供給する１本の制御線と；
上記制御線から入力した上記入力制御電圧が所定の値であるか否かを判断し、上記入力制御電圧が所定の値である場合に、上記スイッチ回路を切り替える切替制御信号を、上記複数のスイッチ回路のうちで対応するスイッチ回路に出力する制御回路と；
を有し、
所定の入力ポートと、上記所定の入力ポートから入力された信号を出力する複数の出力ポートとが設けられ、
上記複数のスイッチ回路のそれぞれは、上記所定の入力ポートと、上記複数の出力ポートのうちの１つの出力ポートとの間に設けられているスイッチ回路であることを特徴とするスイッチ装置。
【請求項５】
請求項４において、
上記スイッチ回路とは異なる複数のスイッチ回路と、上記比較器とは異なる比較器とによって、上記所定の入力ポートからの信号が分配され、上記出力ポートに供給されることを特徴とするスイッチ装置。
【発明の詳細な説明】
【０００１】
【発明の属する技術分野】
本発明は、ハイレベル（ＶＨ）またはローレベル（ＶＬ）の２値の切替制御電圧によって出力を切り替えるスイッチ回路が複数設けられているスイッチ装置に関する。
【０００２】
【従来の技術】
図７は、従来のスイッチ装置ＳＳを示す図である。
【０００３】
従来のスイッチ装置ＳＳは、ハイレベルまたはローレベルの２値の切替制御電圧によって出力を切り替えるスイッチ回路ｓｗ１  〜ｓｗＮ  が複数設けられ、これら複数のスイッチ回路ｓｗ１  〜ｓｗＮ  のそれぞれを個別に制御する制御回路ｃｏｎｔ１  〜ｃｏｎｔＮ  が設けられている。そして、これら複数のスイッチ回路ｓｗ１  〜ｓｗＮ  のうちの任意のスイッチ回路のＯＮ／ＯＦＦを制御する場合、上記任意のスイッチ回路に対応する制御回路を駆動し、切替制御信号を出力させる。
【０００４】
【発明が解決しようとする課題】
従来のスイッチ装置ＳＳにおいて、任意のスイッチ回路を独立して制御するためには、制御回路ｃｏｎｔ１  〜ｃｏｎｔＮ  のそれぞれに、互いに独立な制御信号を給電している。つまり、制御回路ｃｏｎｔ１  〜ｃｏｎｔＮ  のそれぞれに、個別に制御線を配設し、この個別の制御線に上記制御信号を給電している。
【０００５】
したがって、上記従来例においては、スイッチ回路数が増大した大規模な装置を構成する場合、制御回路に接続される制御線の数が多くなり、これら制御線の配線が複雑になるという問題が生じるばかりでなく、制御線の占有面積が大きくなり、スイッチ装置全体の小型化に大きな障害になるという問題がある。
【０００６】
本発明は、複数のスイッチ回路と、対応するスイッチ回路に切替制御電圧を供給する複数の制御回路とを有するスイッチ装置において、制御回路に接続される制御線の数を少なくし、これら制御線の配線を簡素にし、制御線の占有面積を少なくし、スイッチ装置全体を小型化することができるスイッチ装置を提供することを目的とするものである。
【０００７】
【課題を解決するための手段】
本発明は、伝送信号のＯＮ／ＯＦＦまたは上記伝送信号の経路を切り替える複数のスイッチ回路と、入力制御電圧を供給する１本の制御線と、上記制御線から入力した上記入力制御電圧が所定の値であるか否かを判断し、上記入力制御電圧が所定の値である場合に、上記スイッチ回路を切り替える切替制御信号を、上記複数のスイッチ回路のうちで対応するスイッチ回路に出力する制御回路とを有し、  上記入力制御電圧をＶinとし、上記入力制御電圧Ｖinの最小値をＶminとし、上記入力制御電圧Ｖinの最大値をＶmaxとし、上記最小値Ｖminから上記最大値ＶmaxまでをＮ分割した場合における第ｉの分割点の電圧を基準電圧Ｖiとし（ｉは１からＮまでの整数）、Ｖ0＝Ｖminとし、ＶN＝Ｖmaxとし、上記制御回路のうちの第ｉの制御回路は、上記入力制御電圧Ｖinが、Ｖi-1＜Ｖin＜Ｖiである場合に、第ｉのスイッチ回路をＯＮまたは経路を切り替えるように設定する制御信号を出力し、Ｖin＜Ｖi-1またはＶi＜Ｖinである場合に、第ｉのスイッチ回路をＯＦＦまたは経路を切り替えないように設定する制御信号を出力する回路であるスイッチ装置である。
【０００８】
【発明の実施の形態および実施例】
図１は、本発明の第１の実施例であるスイッチ装置ＳＳ１を示すブロック図である。
【０００９】
スイッチ装置ＳＳ１は、スイッチ回路ＳＷ１  〜ＳＷＮ  と、制御線Ｌと、制御回路ＣＯＮＴ１  〜ＣＯＮＴＮ  とを有するものである。
【００１０】
スイッチ回路ＳＷ１  〜ＳＷＮ  は、伝送信号のＯＮ／ＯＦＦまたは伝送信号の経路を切り替える複数のスイッチ回路である。制御線Ｌは、入力制御電圧Ｖｉｎを供給する制御線である。
【００１１】
制御回路ＣＯＮＴ１  〜ＣＯＮＴＮ  は、制御線Ｌから入力した入力制御電圧Ｖｉｎが所定の値であるか否かを判断し、入力制御電圧Ｖｉｎが所定の値である場合に、複数のスイッチ回路ＳＷ１  〜ＳＷＮ  のうちで対応するスイッチ回路に、切替制御信号を出力する回路である。また、制御回路ＣＯＮＴｉ  は、第ｉ１の比較器ＣＰｉ１と、第ｉ２の比較器ＣＰｉ２と、第ｉの論理回路ＬＯｉ  とを有する。なお、ｉは１からＮまでの整数である。
【００１２】
ここで、入力制御電圧Ｖｉｎの最小値をＶｍｉｎ  とし、入力制御電圧Ｖｉｎの最大値をＶｍａｘ  とし、最小値Ｖｍｉｎ  から最大値Ｖｍａｘ  までをＮ分割した場合における第ｉの分割点の電圧を基準電圧Ｖｉ  とし、Ｖ０  ＝Ｖｍｉｎ  、ＶＮ  ＝Ｖｍａｘ  とする。
【００１３】
そして、第ｉの制御回路ＣＯＮＴｉ  は、入力制御電圧Ｖｉｎが、Ｖｉ−１  ＜Ｖｉｎ＜Ｖｉ  である場合に、「Ｈ」（ハイレベル）を出力し、Ｖｉｎ＜Ｖｉ−１  またはＶｉ  ＜Ｖｉｎである場合に、「Ｌ」（ローレベル）を出力する回路である。なお、基準電圧Ｖｉ−１  は、基準電圧Ｖｉ  よりも１段階低い電圧であり、基準電圧Ｖｉ＋１  は、基準電圧Ｖｉ  よりも１段階高い電圧である。また、基準電圧Ｖｉ−１  、Ｖｉ  、Ｖｉ＋１  は、制御回路ＣＯＮＴｉ  内で発生されるか、または、外部から制御回路ＣＯＮＴｉ  に供給される電圧である。
【００１４】
第ｉ１の比較器ＣＰｉ１は、入力制御電圧Ｖｉｎと基準電圧Ｖｉ−１  とを比較し、Ｖｉｎ＜Ｖｉ−１  である場合、「Ｌ」を出力し、Ｖｉ−１  ＜Ｖｉｎである場合、「Ｈ」を出力するものである。
【００１５】
第ｉ２の比較器ＣＰｉ２は、入力制御電圧Ｖｉｎと基準電圧Ｖｉ  とを比較し、Ｖｉｎ＜Ｖｉ  である場合、「Ｈ」を出力し、Ｖｉ  ＜Ｖｉｎである場合、「Ｌ」を出力するものである。
【００１６】
すなわち、上記実施例は、制御線Ｌを共有し、各制御回路に、出力を切り替える電圧を割り当てる手段を有するものである。
【００１７】
次に、上記実施例の動作について説明する。
【００１８】
図２は、上記実施例において、第ｉ１の比較器ＣＰｉ１の入出力特性（点線）、第ｉ２の比較器ＣＰｉ２の入出力特性（一点鎖線）、第ｉの制御回路ＣＯＮＴｉ  の入出力特性（実線）を示す図である。
【００１９】
第ｉ１の比較器ＣＰｉ１は、入力制御電圧Ｖｉｎと基準電圧Ｖｉ−１  とを比較し、Ｖｉｎ＜Ｖｉ−１  である場合、「Ｌ」を出力し、Ｖｉ−１  ＜Ｖｉｎである場合、「Ｈ」を出力する。第ｉ１の比較器ＣＰｉ１の入出力電圧を図２に点線で示してある。
【００２０】
また、第ｉ２の比較器ＣＰｉ２は、入力制御電圧Ｖｉｎと基準電圧Ｖｉ  とを比較し、Ｖｉｎ＜Ｖｉ  である場合、「Ｈ」を出力し、Ｖｉ  ＜Ｖｉｎである場合、「Ｌ」を出力する。第ｉ２の比較器ＣＰｉ２の出力電圧を図２に一点鎖線で示してある。
【００２１】
この２つの出力電圧について、第ｉの論理回路ＬＯｉ  が論理積をとり、第ｉの論理回路ＬＯｉ  の出力電圧を図２に実線で示してある。この実線の特性が、第ｉの制御回路ＣＯＮＴｉ  の入力制御電圧Ｖｉｎに対する出力電圧の特性である。
【００２２】
すなわち、第ｉの制御回路ＣＯＮＴｉ  は、Ｖｉ−１  ＜Ｖｉｎ＜Ｖｉ  である場合、「Ｈ」の切替制御信号を出力し、Ｖｉｎ＜Ｖｉ−１  またはＶｉ  ＜Ｖｉｎである場合、「Ｌ」の切替制御信号を出力する。
【００２３】
そして、スイッチ回路ＳＷ１  〜ＳＷＮ  のうちで、「Ｈ」の切替制御信号を入力したスイッチ回路はＯＮになり、「Ｌ」の切替制御信号を入力したスイッチ回路がＯＦＦになる。つまり、Ｖｉ−１  ＜Ｖｉｎ＜Ｖｉ  である場合、第ｉのスイッチ回路ＳＷｉ  がＯＮになり、Ｖｉｎ＜Ｖｉ−１  またはＶｉ  ＜Ｖｉｎである場合、第ｉのスイッチ回路ＳＷｉ  がＯＦＦになる。
【００２４】
すなわち、スイッチ装置ＳＳ１によれば、入力制御電圧Ｖｉｎが、Ｖｉ−１  ＜Ｖｉｎ＜Ｖｉ  という条件を満たしている場合、その制御回路ＣＯＮＴｉ  は、制御線Ｌを流れる入力制御電圧Ｖｉｎが自分宛（制御回路ＣＯＮＴｉ  宛）の入力制御信号であると判断する。したがって、入力制御電圧Ｖｉｎを変化させることによって、スイッチ回路ＳＷ１  〜ＳＷＮ  のうちで、所望のスイッチ回路を独立して制御することができ、複数のスイッチ回路のそれぞれを互いに独立に制御することができる。この場合、給電すべき入力制御電圧Ｖｉｎの値を所定の値に制御することによって、複数のスイッチ回路ＳＷ１  〜ＳＷＮ  のうちの所望の１つのスイッチ回路のみの動作を制御することができ、制御線Ｌは１本で足りる。
【００２５】
つまり、上記実施例において、第ｉの制御回路は、入力制御電圧Ｖｉｎが、Ｖｉ−１  ＜Ｖｉｎ＜Ｖｉ  である場合に、ハイレベルまたはローレベルを出力し、Ｖｉｎ＜Ｖｉ−１  またはＶｉ  ＜Ｖｉｎである場合に、ローレベルまたはハイレベルを出力する回路である。
【００２６】
また、上記実施例において、第ｉの制御回路は、入力制御電圧Ｖｉｎを基準電圧Ｖｉ−１  と比較し、ローレベルまたはハイレベルを出力する第ｉ１の比較器と、入力制御電圧Ｖｉｎを基準電圧Ｖｉ  と比較し、ハイレベルまたはローレベルを出力する第ｉ２の比較器と、第ｉ１の比較器の出力信号と第ｉ２の比較器の出力信号との論理積を演算し、この演算された論理積に応じてハイレベルまたはローレベルの切替制御信号を、対応する第ｉのスイッチ回路に出力する第ｉの論理回路とを有する回路である。
【００２７】
図３は、本発明の第２の実施例であるスイッチ装置ＳＳ２を示すブロック図である。
【００２８】
スイッチ装置ＳＳ２は、基本的には、スイッチ装置ＳＳ１と同じであるが、スイッチ回路ＳＷ１  〜ＳＷＮ  によって切り替えられる信号（伝送信号）が流れる信号線の接続状態を異ならせることができる装置である。
【００２９】
スイッチ装置ＳＳ１は、互いに異なる信号が流れる複数の信号線（伝送線）の信号を個別に選択する装置（伝送信号のＯＮ／ＯＦＦを切り替える複数のスイッチを有する装置）であるが、スイッチ装置ＳＳ２は、入力ポートＩＮ１  から入力された信号を、Ｎ個の出力ポートＯＵＴ１  〜ＯＵＴＮ  内の任意の１つの出力ポートに出力するスイッチ装置（伝送信号の経路を切り替える複数のスイッチ回路を有する装置）である。
【００３０】
スイッチ回路ＳＷ１  〜ＳＷＮ  のそれぞれは、入力ポートＩＮ１  と、出力ポートＯＵＴ１  〜ＯＵＴＮ  のうちの１つの出力ポートとの間に設けられているスイッチ回路であり、各制御回路ＣＯＮＴ１  〜ＣＯＮＴＮ  から受ける制御信号が「Ｈ」ならばＯＮになり、上記制御信号が「Ｌ」ならばＯＦＦになる。入力ポートＩＮ１  からの入力信号は、図示しない分配器によって分配され、スイッチ回路ＳＷ１  〜ＳＷＮ  のそれぞれに入力される。
【００３１】
スイッチ装置ＳＳ２によれば、入力制御電圧Ｖｉｎを制御することによって、スイッチ回路ＳＷ１  〜ＳＷＮ  のうちの所望の１つのスイッチ回路の出力のみをＯＮにし、入力ポートＩＮ１  の信号を、複数の出力ポートＯＵＴ１  〜ＯＵＴＮ  のうちの所望の１つの出力ポートに出力することができ、しかも、制御線Ｌは１本で足りる。
【００３２】
図４は、本発明の第３の実施例であるスイッチ装置ＳＳ３を示すブロック図である。
【００３３】
スイッチ装置ＳＳ３は、基本的には、スイッチ装置ＳＳ１と同じであるが、スイッチ装置ＳＳ１における制御回路ＣＯＮＴｉ  から論理回路ＬＯｉ  を削除し、スイッチ装置ＳＳ１におけるスイッチ回路ＳＷｉ  を、スイッチ回路ＳＷｉ１とＳＷｉ２との縦列回路（直列回路）によって構成し、比較回路ＣＰｉ１がスイッチ回路ＳＷｉ１の切替を制御し、比較回路ＣＰｉ１がスイッチ回路ＳＷｉ２の切替を制御するものである。
【００３４】
つまり、第ｉの制御回路ＣＯＮＴｉ  は、入力制御電圧Ｖｉｎを基準電圧Ｖｉ−１  と比較し、ローレベルまたはハイレベルの切替制御信号を出力する第ｉ１の比較器と、入力制御電圧Ｖｉｎを基準電圧Ｖｉ  と比較し、ハイレベルまたはローレベルの切替制御信号を出力する第ｉ２の比較器とによって構成されている。また、第ｉのスイッチ回路ＳＷｉ  は、第ｉ１の比較器ＣＰｉ１が出力する切替制御信号に応じて、伝送信号のＯＮ／ＯＦＦまたは伝送信号の経路を切り替える第ｉ１のスイッチ回路ＳＷｉ１と、第ｉ２の比較器ＣＰｉ２が出力する切替制御信号に応じて、伝送信号のＯＮ／ＯＦＦまたは伝送信号の経路を切り替え、第ｉ１のスイッチ回路Ｓｗｉ１と縦列（直列）に接続されている第ｉ２のスイッチ回路ＳＷｉ２とによって構成されている。
【００３５】
次に、スイッチ装置ＳＳ３の動作について説明する。
【００３６】
まず、第ｉの制御回路ＣＯＮＴｉ  の第１の比較器ＣＰｉ１は、入力制御電圧Ｖｉｎと基準電圧Ｖｉ−１  とを比較し、Ｖｉｎ＜Ｖｉ−１  である場合、「Ｌ」を出力し、Ｖｉ−１  ＜Ｖｉｎである場合、「Ｈ」を出力する。前段のスイッチ回路ＳＷｉ１は、第ｉ１の比較器ＣＰｉ１の出力信号を入力するので、Ｖｉｎ＜Ｖｉ−１  である場合、ＯＦＦになり、Ｖｉ−１  ＜Ｖｉｎである場合、ＯＮになる。
【００３７】
これと同様に、第ｉ２の比較器ＣＰｉ２は、入力制御電圧Ｖｉｎと基準電圧Ｖｉ  とを比較し、Ｖｉｎ＜Ｖｉ  である場合、「Ｈ」を出力し、Ｖｉ  ＜Ｖｉｎである場合、「Ｌ」を出力する。ここで、後段のスイッチ回路ＳＷｉ２は、第ｉ２の比較器ＣＰｉ２の出力信号を入力するので、Ｖｉｎ＜Ｖｉ−１  である場合、ＯＮになり、Ｖｉ−１  ＜Ｖｉｎである場合、ＯＦＦになる。
【００３８】
そして、これら２つのスイッチ回路ＳＷｉ１とＳＷｉ２とが縦続接続されているので、第ｉのスイッチ回路ＳＷｉ  の出力信号の値は、スイッチ回路ＳＷｉ１の出力信号の値とスイッチ回路ＳＷｉ２の出力信号の値との論理積になり、したがって、Ｖｉ−１  ＜Ｖｉｎ＜Ｖｉ  である場合、スイッチ回路ＳＷｉ  がＯＮになり、Ｖｉｎ＜Ｖｉ−１  またはＶｉ  ＜Ｖｉｎである場合、スイッチ回路ＳＷｉ  がＯＦＦになる。
【００３９】
スイッチ装置ＳＳ３によれば、スイッチ装置ＳＳ１と同様に、給電すべき入力制御電圧Ｖｉｎの値を所定の値に変えることによって、複数のスイッチ回路ＳＷ１  〜ＳＷＮ  のうちの所望の１つのスイッチ回路（スイッチ装置ＳＳ３においては、スイッチ回路ＳＷｉ１とＳＷｉ２との２つにスイッチ回路が１つのスイッチ回路として機能する）のみの動作を制御することができ、制御線Ｌは１本で足り、しかも、論理回路ＬＯｉ  を設ける必要がない。
【００４０】
図５は、本発明の第４の実施例であるスイッチ装置ＳＳ４を示すブロック図である。
【００４１】
スイッチ装置ＳＳ４は、基本的には、スイッチ装置ＳＳ２と同じであるが、スイッチ装置ＳＳ２において、伝送線にＮ縦続接続されたスイッチ回路ＳＷ１ａ、ＳＷ２ａ、……、ＳＷｉａ、……、ＳＷＮａが設けられ、スイッチ回路ＳＷ１ａ、ＳＷ２ａ、……、ＳＷｉａ、……、ＳＷＮａのそれぞれを制御する比較器ＣＰ１３、ＣＰ２３、……、ＣＰｉ３、……、ＣＰＮ３が設けられているものである。
【００４２】
つまり、スイッチ装置ＳＳ４は、スイッチ回路ＳＷ１  〜ＳＷＮ  とは異なる複数のスイッチ回路と、比較器ＣＰｉ１、ＣＰｉ２とは異なる比較器とによって、所定の入力ポートからの信号を分配し、出力ポートに供給するものである。
【００４３】
また、制御線Ｌに対応する制御線Ｌ１  と、新たな制御線Ｌ２  とが設けられ、制御線Ｌ１  を介して、制御回路ＣＯＮＴ１  〜ＣＯＮＴＮ  に入力制御電圧Ｖｉｎ１  が供給され、制御線Ｌ２  を介して、比較器ＣＰ１３〜ＣＰＮ３に入力制御電圧Ｖｉｎ２  が供給されている。
【００４４】
上記各スイッチ回路ＳＷ１  〜ＳＥＮ  は、入力制御電圧Ｖｉｎ１  、Ｖｉｎ２  が「Ｈ」である場合にＯＮになり、入力制御電圧Ｖｉｎ１  、Ｖｉｎ２  が「Ｌ」である場合にＯＦＦになる。
【００４５】
Ｎ縦続接続されているスイッチ回路中の第ｉのスイッチ回路ＳＷｉａに接続されている電圧比較器ＣＰｉ３は、一種の制御回路ＣＯＮＴである。第ｉ１の比較器ＣＰｉ１を、スイッチ装置ＳＳ１の第２の比較器ＣＰｉ２と同様とし、つまり、入力制御電圧Ｖｉｎ１  がＶｉｎ１  ＜Ｖｉ  である場合、第Ｎａのスイッチ回路ＳＷＮａから第ｉａのスイッチ回路ＳＷｉａまではＯＮになり、第（ｉ＋１）ａのスイッチ回路ＳＷ（ｉ＋１）ａ以降のスイッチ回路はＯＦＦになる。
【００４６】
また、Ｎ並列接続されたスイッチ回路ＳＷ１  、ＳＷ２  、……、ＳＷｉ  、……、ＳＷＮ  には、スイッチ装置ＳＳ１における制御回路と同様の制御回路を用い、入力制御電圧Ｖｉｎ１  を、Ｖｉ−１  ＜Ｖｉｎ１  ＜Ｖｉ  にすると、第ｉのスイッチ回路ＳＷｉ  のみをＯＮにする。この場合、入力ポートＩＮからの信号が第ｉの出力ポートＯＵＴｉ  のみに出力される。
【００４７】
スイッチ装置ＳＳ４によれば、スイッチ装置ＳＳ２と同様の機能を、分岐回路を使用せずに実現することができる。
【００４８】
また、Ｖｉ−１  ＜Ｖｉｎ１  ＝Ｖｉｎ２  ＜Ｖｉ  にすれば、１つの入力制御電圧Ｖｉｎ１  （＝Ｖｉｎ２  ）によって、スイッチ装置ＳＳ４と同様の機能を実現することができ、この場合、制御線は１本で足りる。
【００４９】
図６は、本発明の第５の実施例であるスイッチ装置ＳＳ５を示すブロック図である。
【００５０】
スイッチ装置ＳＳ５は、上記各実施例を上位概念で記載した実施例であり、伝送信号のＯＮ／ＯＦＦまたは上記伝送信号の経路を切り替える複数のスイッチ回路ＳＷ１  〜ＳＷＮ  と、入力制御電圧Ｖｉｎを供給する切本の制御線Ｌと、制御線Ｌから入力した入力制御電圧Ｖｉｎが所定の値であるか否かを判断し、入力制御電圧Ｖｉｎが所定の値である場合に、スイッチ回路を切り替える切替制御信号を、複数のスイッチ回路ＳＷ１  〜ＳＷＮ  のうちで対応するスイッチ回路に出力する制御回路ＣＯＮＴ１  〜ＣＯＮＴＮ  とを有するスイッチ装置である。つまり、制御回路ＣＯＮＴ１  〜ＣＯＮＴＮ  は、共通の制御線Ｌを介して、同じ入力制御電圧Ｖｉｎを入力し、制御回路ＣＯＮＴ１  〜ＣＯＮＴＮ  のそれぞれは、入力制御電圧Ｖｉｎが自分宛であることを判断するための判断回路によって、入力制御信号が区別され、自分宛の入力制御信号を受けた場合にのみ、その制御回路に対応するスイッチ回路を切り替える切替制御信号を出力する。
【００５１】
【発明の効果】
本発明によれば、複数のスイッチ回路と、対応するスイッチ回路に切替制御電圧を供給する複数の制御回路とを有するスイッチ装置において、制御回路に接続される制御線の数を少なくし、これら制御線の配線を簡素にし、制御線の占有面積を少なくし、スイッチ装置全体を小型化することができるという効果を奏する。
【図面の簡単な説明】
【図１】本発明の第１の実施例であるスイッチ装置ＳＳ１を示すブロック図である。
【図２】上記実施例において、第ｉ１の比較器ＣＰｉ１の入出力特性（点線）、第ｉ２の比較器ＣＰｉ２の入出力特性（一点鎖線）、第ｉの制御回路ＣＯＮＴｉ  の入出力特性（実線）を示す図である。
【図３】本発明の第２の実施例であるスイッチ装置ＳＳ２を示すブロック図である。
【図４】本発明の第３の実施例であるスイッチ装置ＳＳ３を示すブロック図である。
【図５】本発明の第４の実施例であるスイッチ装置ＳＳ４を示すブロック図である。
【図６】本発明の第５の実施例であるスイッチ装置ＳＳ５を示すブロック図である。
【図７】従来のスイッチ装置ＳＳを示す図である。
【符号の説明】
ＳＳ１〜ＳＳ５…スイッチ装置、
ＳＷ１  〜ＳＷＮ  …スイッチ回路、
ＣＯＮＴ１  〜ＣＯＮＴＮ  …制御回路、
ＬＯ１  〜ＬＯＮ  …論理回路、
ＣＰ１１〜ＣＰＮ２…比較器、
Ｌ、Ｌ１  、Ｌ２  …制御線、
Ｖｉｎ、Ｖｉｎ１  、Ｖｉｎ２  …入力制御電圧、
Ｖ０  〜ＶＮ  …基準電圧。
【図１】
0003562749.tif 000002
【図２】
0003562749.tif 000003
【図３】
0003562749.tif 000004
【図４】
0003562749.tif 000005
【図５】
0003562749.tif 000006
【図６】
0003562749.tif 000007
【図７】
0003562749.tif 000008